(57)【要約】【課題】走査駆動手段を制御する制御手段のＩ／Ｏ数を抑えつつ、適切にトリミング制御を行って信号の読み出し処理にかかる時間を短縮することが可能な放射線画像撮影装置を提供する。【解決手段】放射線画像撮影装置１の制御手段２２は、ＯＥ信号が入力されることでオン電圧が印加される所定の走査線５を１ライン目からｎライン目まで順次移動させるようにＣＰＶ信号を走査駆動手段１５に入力するとともに、所定の走査線５が画像データを読み出す有効画素領域に対応する走査線５である場合にのみオン電圧が印加されるように走査駆動手段１５にＯＥ信号を入力する。 【選択図】図５
2018026809.tif 000002
【特許請求の範囲】
【請求項１】
１ライン目からｎライン目までの複数の走査線と、
複数の信号線と、
撮影可能領域に二次元状に配列された複数の放射線検出素子と、
前記各放射線検出素子から前記各信号線に放出された電荷を画像データとして読み出す読み出し回路と、
前記放射線検出素子ごとに配置され、前記走査線を介してオフ電圧が印加されるとオフ状態になり前記放射線検出素子と前記信号線との導通を遮断し、オン電圧が印加されるとオン状態になり前記放射線検出素子から電荷を前記信号線に放出させるスイッチ素子と、
前記各走査線に印加する電圧を前記オン電圧と前記オフ電圧との間で切り替える走査駆動手段と、
前記各放射線検出素子からの画像データの読み出し処理を行わせるように制御する制御手段と、
所定の走査線に対して前記オン電圧を印加して当該所定の走査線の前記スイッチ素子をオン状態とするＯＥ信号を前記制御手段から前記走査駆動手段に入力するＯＥ信号線と、
前記ＯＥ信号が入力されることで前記オン電圧が印加される前記所定の走査線を次の走査線に移動させるＣＰＶ信号を前記制御手段から前記走査駆動手段に入力するＣＰＶ信号線と、
を備え、
前記制御手段は、前記所定の走査線を１ライン目からｎライン目まで順次移動させるように前記ＣＰＶ信号を入力するとともに、前記所定の走査線が画像データを読み出す有効画素領域に対応する走査線である場合にのみ前記オン電圧が印加されるように前記走査駆動手段に前記ＯＥ信号を入力することを特徴とする放射線画像撮影装置。
【請求項２】
前記撮影可能領域は、前記走査駆動手段が属する複数の分割領域に分割され、
前記ＯＥ信号線は、前記分割領域ごとに配線されていることを特徴とする請求項１に記載の放射線画像撮影装置。
【請求項３】
ＳＴＶ信号を前記制御手段から前記走査駆動手段に入力するＳＴＶ信号線を備え、
前記ＳＴＶ信号線は、その全部又は一部はデイジーチェーンにて前記各走査駆動手段に配線されていることを特徴とする請求項１又は請求項２に記載の放射線画像撮影装置。
【請求項４】
前記ＣＰＶ信号線は、全ての前記走査駆動手段に共通して配線されていることを特徴とする請求項１から請求項３のいずれか一項に記載の放射線画像撮影装置。
【請求項５】
前記制御手段は、非有効画素領域における前記所定の走査線の移動が、前記有効画素領域における前記所定の走査線の移動よりも高速で行われるように、前記走査駆動手段に対して前記ＣＰＶ信号を入力することを特徴とする請求項１から請求項４のいずれか一項に記載の放射線画像撮影装置。
【請求項６】
複数のフレームの画像データの読み出しに際して、
前記制御手段は、あるフレームの有効画素領域の画像データの読み出し中に、次フレームの非有効画素領域において前記所定の走査線を順次移動させることを特徴とする請求項１に記載の放射線画像撮影装置。
【請求項７】
複数のフレームの画像データの読み出しに際して、
前記制御手段は、あるフレームの非有効画素領域において前記所定の走査線を順次移動させながら、次フレームの非有効画素領域においても前記所定の走査線を順次移動させることを特徴とする請求項１に記載の放射線画像撮影装置。
【請求項８】
前記制御手段は、前記非有効画素領域における前記所定の走査線の移動が、前記有効画素領域における前記所定の走査線の移動よりも高速で行われるように、前記走査駆動手段に対して前記ＣＰＶ信号を入力することを特徴とする請求項７に記載の放射線画像撮影装置。
【発明の詳細な説明】
【技術分野】
【０００１】
本発明は、放射線画像撮影装置に関する。
【背景技術】
【０００２】
近年、放射線検出素子を二次元状に配列し、放射線照射装置から照射され被写体を透過した放射線に応じて放射線検出素子内で発生した電荷を画像データとして読み取る放射線画像撮影装置（Flat Panel Detector）が種々開発されており、病院等の施設で撮影に用いられている。また、近年、放射線検出素子等が形成されたセンサーパネル等を筐体内に収納し、持ち運び可能とした可搬型の放射線画像撮影装置が開発され、実用化されている。
【０００３】
このような放射線画像撮影装置では、従来の銀塩フィルムや、輝尽性蛍光体シート等を内蔵するＣＲ（Computed Radiography）カセッテと同様に、被写体を介して放射線画像撮影装置に放射線を１回照射して放射線画像を１枚ずつ撮影する静止画撮影（単純撮影や一般撮影等ともいう。）を行うことが可能である。
【０００４】
また、従来の銀塩フィルムやＣＲカセッテでは、それらに被写体を介して放射線を連続して照射するといわゆる二重露光や多重露光の問題が生じてしまうが、放射線画像撮影装置では、撮影した放射線画像のデータ（すなわち画像データ）を外部装置に転送したり、放射線画像撮影装置に内蔵する記憶手段に保存しておくことができる。
【０００５】
このため、放射線画像撮影装置は、従来の銀塩フィルムやＣＲカセッテとは異なり、例えば肺に疾患がある患者の肺換気や肺の血流等の動態を観察するために連続的に複数の放射線画像を得る撮影や、放射線照射装置と放射線画像撮影装置とを移動させながら被写体の複数の放射線画像を撮影するトモシンセシス撮影等のように、被写体を介して放射線画像撮影装置に放射線を連続的に照射して複数のフレームの放射線画像を時間的に連続して動画的に撮影する準動画撮影を行うことも可能となるといった特徴を有している。
【０００６】
しかし、このように、放射線画像撮影装置により複数のフレームの放射線画像を連続的に撮影する場合には、一連の撮影において放射線照射と信号の読み出し処理とを複数回繰り返すこととなるが、信号の読み出し処理に時間がかかるとその分撮影に要する時間が長くなり、患者に負担を掛けてしまう。
放射線画像撮影装置による撮影では、撮影が可能な領域全体を使って撮影する場合だけでなく、診断対象となる部分に対応する範囲に絞って放射線を照射する場合もある。そこで、放射線の照射範囲を絞って撮影を行う場合には、信号の読み出し処理も放射線が照射された有効画素領域（関心領域）のみについて行うトリミング制御を行うことで信号の読み出し処理にかかる時間を短縮することが提案されている（例えば、特許文献１〜特許文献４参照）。
このように、有効画素領域（関心領域）のみについて信号の読み出し処理を行うことで、フレームレートの高速化を図ることができる。
【０００７】
放射線画像撮影装置によって撮影された画像データの信号を読み出すためには、制御手段からゲート駆動を行うデバイス（走査駆動手段）に適宜各種信号を入力して信号の読み出し処理を制御する必要があるが、従来の技術では、こうした信号を入力するための信号線を制御手段から全ての走査駆動手段について個々に配線していた。
このように制御手段から全ての走査駆動手段に信号線が個々に配線されている場合には、任意の領域に対応する走査駆動手段のみに対して柔軟に信号を入力することができ、容易に有効画素領域（関心領域）についてのみ信号の読み出し処理を行うことができる。
【先行技術文献】
【特許文献】
【０００８】
【特許文献１】特許第３８９７３８９号公報
【特許文献２】特開２００８−４２４７８号公報
【特許文献３】特許第５７４９８７３号公報
【特許文献４】特許第５６２７７４８号公報
【発明の概要】
【発明が解決しようとする課題】
【０００９】
しかしながら、制御手段から全ての走査駆動手段に信号線が個々に配線されている場合には、例えばＦＰＧＡ等、走査駆動手段を制御する制御手段のＩ／Ｏ数が増大し、Ｉ／Ｏ数を確保するために上位のパッケージを採用せざるを得なくなる場合もある。
また、基板についても走査駆動手段を制御する回路（制御手段、例えばＦＰＧＡ）から多くの配線を引き出さなければならないため、構成が複雑となり、さらには、引き出し後の配線の経路を確保するために、基板層数を多くせざるを得ず、コストアップが避けられない。
【００１０】
特に近時は、放射線画像撮影装置（Flat Panel Detector）の高精細化が進んでおり、
これに伴って放射線画像撮影装置に設けられる走査駆動手段の数も増大している。
このため、走査駆動手段を制御する制御手段のＩ／Ｏ数の増大や配線の複雑化、配線経路の確保のための基板層数の増大等によるコストアップは一層重要な問題となっており、フレームレートの高速化のみに焦点を当てたトリミング制御を行うことには限界がある。
【００１１】
本発明は、上記の問題点を鑑みてなされたものであり、走査駆動手段を制御する制御手段のＩ／Ｏ数を抑えつつ、適切にトリミング制御を行って信号の読み出し処理にかかる時間を短縮することが可能な放射線画像撮影装置を提供することを目的とする。
【課題を解決するための手段】
【００１２】
前記の問題を解決するために、本発明の放射線画像撮影装置は、
１ライン目からｎライン目までの複数の走査線と、
複数の信号線と、
撮影可能領域に二次元状に配列された複数の放射線検出素子と、
前記各放射線検出素子から前記各信号線に放出された電荷を画像データとして読み出す読み出し回路と、
前記放射線検出素子ごとに配置され、前記走査線を介してオフ電圧が印加されるとオフ状態になり前記放射線検出素子と前記信号線との導通を遮断し、オン電圧が印加されるとオン状態になり前記放射線検出素子から電荷を前記信号線に放出させるスイッチ素子と、
前記各走査線に印加する電圧を前記オン電圧と前記オフ電圧との間で切り替える走査駆動手段と、
前記各放射線検出素子からの画像データの読み出し処理を行わせるように制御する制御手段と、
所定の走査線に対して前記オン電圧を印加して当該所定の走査線の前記スイッチ素子をオン状態とするＯＥ信号を前記制御手段から前記走査駆動手段に入力するＯＥ信号線と、
前記ＯＥ信号が入力されることで前記オン電圧が印加される前記所定の走査線を次の走査線に移動させるＣＰＶ信号を前記制御手段から前記走査駆動手段に入力するＣＰＶ信号線と、
を備え、
前記制御手段は、前記所定の走査線を１ライン目からｎライン目まで順次移動させるように前記ＣＰＶ信号を入力するとともに、前記所定の走査線が画像データを読み出す有効画素領域に対応する走査線である場合にのみ前記オン電圧が印加されるように前記走査駆動手段に前記ＯＥ信号を入力することを特徴とする。
【発明の効果】
【００１３】
本発明のような方式の放射線画像撮影装置によれば、走査駆動手段を制御する制御手段のＩ／Ｏ数を抑えつつ、適切にトリミング制御を行って信号の読み出し処理にかかる時間を短縮することが可能となる。
【図面の簡単な説明】
【００１４】
【図１】本実施形態に係る放射線画像撮影装置の外観を示す斜視図である。
【図２】放射線画像撮影装置の等価回路を表すブロック図である。
【図３】放射線画像撮影装置の模式的な平面図である。
【図４】（ａ）は、第１の実施形態におけるＳＴＶ信号線の配線例を示す図であり、（ｂ）は、第１の実施形態におけるＯＥ信号線の配線例を示す図であり、（ｃ）は、第１の実施形態におけるＣＰＶ信号線の配線例を示す図である。
【図５】（ａ）は、第１の実施形態におけるトリミング制御を模式的に示す説明図であり、（ｂ）は、第１の実施形態におけるＳＴＶ信号、ＯＥ信号、ＣＰＶ信号の入力タイミングを示すタイミングチャートである。
【図６】（ａ）は、第２の実施形態におけるＳＴＶ信号線の配線例を示す図であり、（ｂ）は、第２の実施形態におけるＯＥ信号線の配線例を示す図であり、（ｃ）は、第２の実施形態におけるＣＰＶ信号線の配線例を示す図である。
【図７】（ａ）は、第２の実施形態におけるトリミング制御を模式的に示す説明図であり、（ｂ）は、第２の実施形態におけるＳＴＶ信号、ＯＥ信号、ＣＰＶ信号の入力タイミングを示すタイミングチャートである。
【図８】（ａ）は、第２の実施形態の一変形例におけるトリミング制御を模式的に示す説明図であり、（ｂ）は、第２の実施形態の一変形例におけるＳＴＶ信号、ＯＥ信号、ＣＰＶ信号の入力タイミングを示すタイミングチャートである。
【発明を実施するための形態】
【００１５】
［第１の実施形態］
図１から図５（ａ）及び図５（ｂ）を参照しつつ、本発明に係る放射線画像撮影装置の第１の実施形態を説明する。なお、本実施形態では、なお、本発明の範囲は図示例に限定されない。
【００１６】
なお、以下では、放射線画像撮影装置として、シンチレーター等を備え、照射された放射線をシンチレーターで可視光等の他の波長の光に変換して放射線検出素子で画像データを得るいわゆる間接型の放射線画像撮影装置について説明するが、本発明は、シンチレーター等を介さずに放射線を放射線検出素子で直接検出する、いわゆる直接型の放射線画像撮影装置に対しても適用することも可能である。
【００１７】
〈放射線画像撮影装置の基本構成〉
本実施形態に係る放射線画像撮影装置の基本的な構成等について説明する。図１は、放射線画像撮影装置の外観を示す斜視図である。
【００１８】
本実施形態では、放射線画像撮影装置１は、後述する放射線検出素子７等が筐体２内に収納されて構成されており、筐体２の一方の側面には、電源スイッチ２５や切替スイッチ２６、前述したコネクター２７、ＬＥＤ等で形成されたインジケーター２８等が配置されている。また、図示を省略するが、本実施形態では、筐体２の例えば反対側の側面等に、外部装置と無線方式で通信を行うためのアンテナ２９（後述する図２参照）が設けられている。なお、放射線画像撮影装置１は、外部と無線方式で通信を行う場合にはアンテナ２９を用い、外部と有線方式で通信を行う場合にはコネクター２７に図示しないケーブル等を接続させて通信するようになっている。
【００１９】
図２は、放射線画像撮影装置の等価回路を表すブロック図である。図２に示すように、放射線画像撮影装置１には、図示しないセンサー基板上の撮影可能領域（図２に示す破線枠Ｐ）に複数の放射線検出素子７が二次元状（マトリクス状）に配列されている。各放射線検出素子７は、照射された放射線の線量に応じた電荷を発生させるようになっている。各放射線検出素子７には、バイアス線９が接続されており、バイアス線９は結線１０に接続されている。そして、結線１０はバイアス電源１４に接続されており、バイアス電源１４からバイアス線９等を介して各放射線検出素子７に逆バイアス電圧が印加されるようになっている。
【００２０】
各放射線検出素子７には、薄膜トランジスター（Thin Film Transistor。以下、ＴＦＴという。）８がスイッチ素子として接続されており、ＴＦＴ８は信号線６に接続されている。
また、ゲートドライバーＩＣ（ＧＤＩＣ）である走査駆動手段１５では、配線１５ｃを介して電源回路１５ａから供給されたオン電圧とオフ電圧がゲートドライバー１５ｂで切り替えられて走査線５の各ラインＬ１〜Ｌｎに印加されるようになっている。ゲートドライバーＩＣ（ＧＤＩＣ）である走査駆動手段１５は、例えばＦＰＧＡ（field-programmable gate array）等で制御される。
そして、各ＴＦＴ８は、走査線５を介してオン電圧が印加されるとオン状態になって、放射線検出素子７内に蓄積された電荷を信号線６に放出させ、また、走査線５を介してオフ電圧が印加されるとオフ状態になって、放射線検出素子７と信号線６との導通を遮断して、放射線検出素子７内で発生した電荷を放射線検出素子７内に蓄積させるようになっている。
【００２１】
読み出しＩＣ１６内には複数の読み出し回路１７が設けられており、読み出し回路１７にはそれぞれ信号線６が接続されている。そして、画像データＤの読み出し処理の際には、放射線検出素子７から電荷が放出されると、電荷は信号線６を介して読み出し回路１７に流れ込み、増幅回路１８では流れ込んだ電荷の量に応じた電圧値が出力される。そして、相関二重サンプリング回路（図２では「ＣＤＳ」と記載されている。）１９は、増幅回路１８から出力された電圧値をアナログ値の画像データＤとして読み出して下流側に出力する。そして、出力された画像データＤはアナログマルチプレクサー２１を介してＡ／Ｄ変換器２０に順次送信され、Ａ／Ｄ変換器２０でデジタル値の画像データＤに順次変換され、記憶手段２３に出力されて順次保存されるようになっている。
【００２２】
図３は、本実施形態における放射線画像撮影装置１の平面的な構成を模式的に示したものである。
図３に示すように、本実施形態では、ゲートドライバーＩＣである走査駆動手段１５（図３においてＧＤＩＣ１５とする。）が放射線画像撮影装置１の縦方向（図３における縦方向）に１７個配置されている。
また、放射線画像撮影装置１の横方向（図３における横方向）には、読み出しＩＣ１６（図３においてＲＯＩＣ１６とする。）が１４個配置されている。
なお、走査駆動手段１５及び読み出しＩＣ１６の数や配置は一例であり、これに限定されない。
【００２３】
本実施形態では、画像データＤの信号の読出し範囲を限定するトリミング制御を行うようになっている。ここで、トリミング制御とは、放射線検出素子７が配置されている撮影可能範囲のうち、放射線が照射された照射領域（以下、有効画素領域又は関心領域という。）についてのみ画像データＤの信号の読み出し処理を行う部分読み出し制御である。このように、有効画素領域についてのみ信号の読み出しを行うことにより、フレームレートを高めることができる。
例えば、図３では、画像データＤの読み出しを行う有効画素領域（関心領域）ＴＡとして、有効画素領域ＴＡ１、有効画素領域ＴＡ２の２つの領域（図３において一点鎖線で示す領域）を設定可能となっている。
放射線画像撮影装置１に設定される有効画素領域（図３におけるＴＡ１、ＴＡ２）のうち、縦方向の範囲が最小の領域（図３では有効画素領域ＴＡ２）における縦方向の範囲が放射線の最低照射範囲ＳＡ（図３において破線で示す範囲）とされ、この最低照射範囲ＳＡを含んでいれば、各撮影における放射線の照射範囲を上下方向に拡大することは可能である。
【００２４】
なお、有効画素領域ＴＡとしてどの範囲を設定するかは、放射線画像撮影装置１の仕様や使用状況等に応じて適宜設定可能であり、図示例に限定されない。
また、有効画素領域ＴＡの設定の仕方は特に限定されない。
例えば、各放射線画像撮影装置１についてトリミング制御を行う場合の有効画素領域（関心領域）ＴＡを予め設定しておいてもよい。この場合、当該範囲を示す指標を放射線画像撮影装置１の表面に付することで、放射線技師等の操作者（ユーザー）が目視にて有効画素領域ＴＡを確認できるようにしてもよい。有効画素領域ＴＡを示す指標を付す手法は特に限定されず、例えばシルクスクリ−ン等の技法による印刷等によって行うことができる。
また、図示しないコンソール等の外部の操作装置から有効画素領域ＴＡを設定するようにしてもよい。この場合、任意の範囲を設定できてもよいし、１又は大きさや位置等の異なる複数の有効画素領域ＴＡを選択可能としておき、操作者（ユーザー）が選択することで当該撮影における有効画素領域ＴＡが設定されるようにしてもよい。
また、操作者が、撮影したい部位の範囲・大きさ等に応じて放射線画像撮影装置１における放射線の照射領域を設定し、実際に放射線の曝射により放射線が照射された範囲を有効画素領域ＴＡとして設定して、この領域についてのみ画像データＤの読み出しを行うようにしてもよい。この場合、放射線画像撮影装置１が図示しないＸ線センサーを備えるように構成し、制御手段２２がＸ線センサーからの出力値に基づいて放射線の照射範囲を検出するように構成することができる。また、別途Ｘ線センサーを備えず、撮影に用いられる放射線検出素子７からの出力値に基づいて制御手段２２が放射線の照射範囲を検出し、この範囲を有効画素領域ＴＡとしてもよい。
【００２５】
制御手段２２は、図示しないＣＰＵ（Central Processing Unit）やＲＯＭ（Read OnlyMemory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３が接続されており、また、アンテナ２９やコネクター２７を介して外部と無線方式や有線方式で通信を行う通信部３０が接続されている。
【００２６】
また、制御手段２２には、走査駆動手段１５や読み出し回路１７、記憶手段２３、バイアス電源１４等の各機能部に必要な電力を供給する内蔵電源２４等が接続されている。そして、制御手段２２は、画像データＤの読み出し処理の際には、上記のように走査駆動手段１５や読み出し回路１７等の動作を制御して、各放射線検出素子７から信号線６に放出された電荷を読み出し回路１７等で画像データＤとして読み出すように制御するようになっている。
【００２７】
本実施形態において、放射線画像撮影装置１は、患者の肺換気や肺の血流等の動態を観察するために連続的に複数の放射線画像を得る撮影や、図示しない放射線照射装置と放射線画像撮影装置１とを移動させながら被写体の複数の放射線画像を撮影するトモシンセシス撮影等のように、被写体を介して放射線画像撮影装置１に放射線を連続的に照射して複数のフレームの放射線画像を時間的に連続して動画的に撮影する準動画撮影を行うことができるように構成されている。
制御手段２２は、撮影が行われる撮影状況（動態観察のための連続的な撮影かトモシンセシス撮影かその他の撮影か、放射線の照射がパルス状か連続か、放射線の照射時間または照射回数、照射から次の照射までの時間間隔等）に応じて図示しない放射線照射装置と連携しながら撮影を行い、画像データＤの信号の読み出し処理を行うように構成される。
【００２８】
すなわち、撮影前に制御手段２２は、走査駆動手段１５のゲートドライバー１５ｂ（図２参照）から走査線５の各ラインＬ１〜Ｌｎにオン電圧を順次印加して、放射線検出素子７内に残存する電荷を信号線６に放出させる等して放射線検出素子７内から除去する放射線検出素子７のリセット処理を行う。
そして、放射線技師等の操作者が放射線照射装置の曝射スイッチを操作して放射線照射装置から照射開始信号が送信されてくると、放射線画像撮影装置１の制御手段２２は、その時点で行っている放射線検出素子７のリセット処理を、走査線５の最終ラインＬｎまでオン電圧が印加された時点で終了させて、ゲートドライバー１５ｂから走査線５の各ラインＬ１〜Ｌｎにオフ電圧を印加させて電荷蓄積状態に移行させる。また、それとともに放射線照射装置にインターロック解除信号を送信する。
【００２９】
そして、放射線照射装置は、放射線画像撮影装置１からのインターロック信号を受信すると放射線を照射させる。そして、放射線画像撮影装置１の制御手段２２は、電荷蓄積状態に移行してから所定の時間が経過した時点で、ゲートドライバー１５ｂから走査線５の各ラインＬ１〜Ｌｎにオン電圧を順次印加させて前述したように画像データＤの信号の読み出し処理を行う。
【００３０】
読み出された画像データＤは、撮影ごとに（すなわちフレームごとに）図示しない外部の画像処理装置等に転送されるように構成してもよく、また、放射線画像撮影装置１の記憶手段２３（図２参照）に保存しておき、後で画像処理装置等に転送するように構成してもよい。
【００３１】
なお、本実施形態に係る放射線画像撮影装置１は、図示しない撮影台に装填して撮影に用いることも可能であるが、図示を省略するが、撮影台に装填せずに、いわば単独の状態で、例えば被写体である患者の身体にあてがったり、或いは例えば患者とベッドとの間に挿入する等して撮影に用いることもできるようになっている。
【００３２】
〈放射線画像撮影装置の基板上の配線について〉
次に、本実施形態に係る放射線画像撮影装置１における基板上の配線について詳細に説明する。
図４（ａ）は、制御手段２２からの垂直方向開始信号（以下ＳＴＶ信号とする。）のＳＴＶ信号線の配線を示す説明図であり、図４（ｂ）は、制御手段２２からのアウトプットイネーブル信号（Output Enable信号、以下ＯＥ信号とする。）のＯＥ信号線の配線を示す説明図であり、図４（ｃ）は、制御手段２２からのシフトクロック信号（以下ＣＰＶ信号とする。）のＣＰＶ信号線の配線を示す説明図である。
【００３３】
図４（ａ）に示すように、本実施形態では、垂直方向開始信号（ＳＴＶ信号）のうち、ゲート入力信号（これを以下ＳＴＶ１とする。）のＳＴＶ信号線は制御手段２２から先頭の走査駆動手段（ＧＤＩＣ）１５のみに配線されており、ゲート出力信号（これを以下ＳＴＶ２とする。）のＳＴＶ信号線は先頭の走査駆動手段（ＧＤＩＣ）１５から次の（すなわち先頭から２番目の）走査駆動手段（ＧＤＩＣ）１５にデイジーチェーンで配線されている。
【００３４】
また本実施形態では、放射線画像撮影装置１の撮影可能領域が上側と下側との２つの分割領域に分割されており、制御手段２２からＯＥ信号（ＯＥ１，ＯＥ２）が入力されるＯＥ信号線は、図４（ｂ）に示すように、上側の分割領域（以下、上側領域という。）に属する走査駆動手段（ＧＤＩＣ）１５にＯＥ１のＯＥ信号線が制御手段２２から配線され、下側の分割領域（以下、下側領域という。）に属する走査駆動手段（ＧＤＩＣ）１５にＯＥ２のＯＥ信号線が制御手段２２から配線されている。
上側領域と下側領域とをどこで分割するかは任意に設定可能であるが、上下方向のほぼ中間の位置で分割することが好ましく、図４（ｂ）では、上下方向に１７個配置されている走査駆動手段（ＧＤＩＣ）１５のうち、上側８個を上側領域の走査駆動手段（ＧＤＩＣ）１５とし、下側９個を下側領域の走査駆動手段（ＧＤＩＣ）１５とした例を示している。
【００３５】
また、図４（ｃ）に示すように、制御手段２２からのＣＰＶ信号の信号線は、全走査駆動手段（ＧＤＩＣ）１５に共通に配線される。
【００３６】
本実施形態では、放射線画像撮影装置１の走査線５の各ラインＬ１〜Ｌｎを順次ＯＮ状態として画像データＤの信号を読み出すために、上記のＳＴＶ信号（すなわち、ＳＴＶ１，ＳＴＶ２）、ＯＥ信号、ＣＰＶ信号という３種類の信号が用意されている。
画像データＤの読み出しを行う際には、制御手段２２は、まず放射線画像撮影装置１の走査線５の１ライン目（Ｌ１）にＳＴＶ信号（ＳＴＶ１）を与え、このときにＣＰＶ信号を入れると１ライン目（Ｌ１）にゲートが入る（すなわち、１ライン目をアクティブにする）。この状態でさらにＯＥ信号を入れるとこの１ライン目（Ｌ１）のＴＦＴ８（すなわちスイッチ素子）が有効（ＯＮ状態）となり、放射線検出素子７から電荷が信号線６に放出されて、読み出しＩＣ１６（ＲＯＩＣ１６とする。）による信号読み出しが可能な状態となる。
次のライン（２ライン目（Ｌ２））をＯＮ状態としたいときには、１ライン目（Ｌ１）にゲートがいる状態でＣＰＶ信号を入れる。これにより、ゲートが次のライン（すなわち、２ライン目（Ｌ２））に移動する。
なお、ゲートが入った状態でＯＥ信号を入れずに（すなわちＯＮ状態とせずに）ＣＰＶ信号のみを入れると、当該ラインについては、放射線検出素子７と信号線６との導通が遮断されたままであり、読み出しＩＣ１６による信号の読み出し処理を行わずに次のラインにゲートが移動する。
【００３７】
本実施形態のように走査駆動手段（ＧＤＩＣ）１５が１７個配置されている場合、全ての走査駆動手段（ＧＤＩＣ）１５について、ＳＴＶ１のＳＴＶ信号線、ＳＴＶ２のＳＴＶ信号線、ＯＥ信号のＯＥ信号線、ＣＰＶ信号のＣＰＶ信号線を制御手段２２からそれぞれ配線した場合には、６８本の信号線を配線する必要が生じ、制御手段２２のＩ／Ｏ数が多くなるため、Ｉ／Ｏ数が多いパッケージを用いる必要が生じてしまう。また配線の引き出し等も複雑となり、基板の層数の多い高価な基板を用いる必要も生じる。
この点、本実施形態では、上記のように、ＳＴＶ１の信号線を制御手段２２から先頭の走査駆動手段（ＧＤＩＣ）１５のみに配線し、ＳＴＶ２の信号線を先頭の走査駆動手段（ＧＤＩＣ）１５から２番目の走査駆動手段（ＧＤＩＣ）１５に配線し、ＯＥ信号の信号線を制御手段２２から上側領域の走査駆動手段（ＧＤＩＣ）１５に共通に、また、下側領域の走査駆動手段（ＧＤＩＣ）１５に共通に配線し、ＣＰＶ信号の信号線を制御手段２２から全ての走査駆動手段（ＧＤＩＣ）１５に共通に配線すればよいため、制御手段２２のＩ／Ｏ数が少なくてすみ、配線の引き出し等も簡易化することができる。
【００３８】
〈本実施形態に特有の制御及び放射線画像撮影装置の作用について〉
図５（ａ）及び図５（ｂ）を参照しつつ、本実施形態に特有の制御及び放射線画像撮影装置の作用について説明する。
図５（ａ）は、各フレームにおけるトリミング制御を模式的に示した説明図であり、図中の矢印は、信号読み出し及びゲートシフトの向きを示している。すなわち、図５（ａ）では、図中左上から右下に向けて順次信号の読み出し処理及びゲートシフトが行われることを示す。また、図中の領域Ａは、フレーム左側の有効画素領域ＴＡを含まない部分であり、図中の領域Ｂは、フレーム内の有効画素領域ＴＡを含む部分であり、図中の領域Ｃは、フレーム右側の有効画素領域ＴＡを含まない部分である。なお、領域Ａ１，領域Ｂ１，領域Ｃ１は１フレーム目における各領域を示し、領域Ａ２，領域Ｂ２，領域Ｃ２は２フレーム目における各領域を示している。
また、図５（ｂ）は、図５（ａ）に示す各フレームのうち、１フレーム分（１フレーム目と２フレーム目の１ライン目）のトリミング処理における各信号を入れるタイミングを示すタイミングチャートである。なお、図中の「ＲＯ」は、読み出しＩＣ（ＲＯＩＣ）１６による画像データＤの信号の読み出し処理（Ｒｅａｄ Ｏｕｔ）が行われていることを示している。
【００３９】
本実施形態では、まず、放射線画像撮影装置１の制御手段２２は、放射線技師等の操作者（ユーザー）等によって設定された有効画素領域（関心領域）ＴＡを、コンソール等の外部装置からの指示信号やＸ線センサーの出力値等に基づいて検出する。
なお、本実施形態では、放射線画像撮影装置１の放射線検出素子７が４００（ｗ）×４００（ｈ）のマトリクス状に配置されていると仮定して、この範囲を撮影可能領域とし、この撮影可能領域のうち、上下５０ライン分は有効画素でない領域（すなわち、非有効画素領域）であって、フレームのほぼ中央部の４００（ｗ）×３００（ｈ）が有効画素領域（関心領域）ＴＡであると仮定した場合を例として以下説明する。
【００４０】
有効画素領域（関心領域）ＴＡに対応する放射線画像撮影装置１上の位置に患者の撮影対象部位を配置して撮影が行われ、画像データＤの信号の読み出し処理を行う際には、制御手段２２は、まず、１フレーム目の１ライン目にＳＴＶ１入力し、このときにＣＰＶ信号を入れることで１ライン目（Ｌ１）の走査駆動手段（ＧＤＩＣ）１５にパルスを入力する。
さらに制御手段２２は、この状態でＣＰＶ信号のみを５０回入れることで有効画素領域ＴＡの先頭である５１ライン目までゲートをシフトさせる。
なお、１ライン目から５０ライン目までの５０ラインは非有効画素領域であるためＯＥ信号は入力せず、読み出しＩＣ（ＲＯＩＣ）１６による信号の読み出し処理等は行わない。
【００４１】
次に、５１ライン目までゲートがシフトすると、制御手段２２は、上側領域のみが信号の読出しが可能な状態となるように、ＯＥ１のみを入力する。これにより、５１ライン目のＴＦＴ８がＯＮ状態となり、放射線検出素子７から信号線６に電荷が放出されて、５１ライン目について読み出しＩＣ（ＲＯＩＣ）１６による信号の読み出し処理等が行われる。
その後制御手段２２は、ＣＰＶ信号を入れることで次の５２ライン目の走査駆動手段（ＧＤＩＣ）１５にパルスを入力してゲートをシフトさせる。
そして、５２ライン目から２００ライン目についても同様に、制御手段２２は順次ＯＥ信号（ＯＥ１）を入力して各ラインのＴＦＴ８を順次有効（ＯＮ状態）とし、読み出しＩＣ１６（ＲＯＩＣ１６とする。）による信号の読み出し処理を行う。これにより上側領域の有効画素領域ＴＡについて信号の読み出し処理が完了する。
【００４２】
次に、２０１ライン目までゲートがシフトすると、制御手段２２は、下側領域のみが信号の読出しが可能な状態となるように、ＯＥ２のみを入力する。これにより、２０１ライン目のＴＦＴ８がＯＮ状態となり、放射線検出素子７から信号線６に電荷が放出されて、２０１ライン目について読み出しＩＣ（ＲＯＩＣ）１６による信号の読み出し処理等が行われる。
その後制御手段２２は、ＣＰＶ信号を入れることで次の２０２ライン目の走査駆動手段（ＧＤＩＣ）１５にパルスを入力する。
そして、２０２ライン目から３５０ライン目についても同様に、制御手段２２は順次ＯＥ信号（ＯＥ２）を入力して各ラインのＴＦＴ８を順次有効（ＯＮ状態）とし、読み出しＩＣ１６（ＲＯＩＣ１６とする。）による信号の読み出し処理を行う。これにより下側領域の有効画素領域ＴＡについて信号の読み出し処理が完了する。
【００４３】
また、本実施形態において、制御手段２２は、１フレーム目の３０１ライン目、すわなち、下側領域の有効画素領域ＴＡの残りの有効画素ラインが５０ラインとなった時点で、２フレーム目の１ライン目の走査駆動手段（ＧＤＩＣ）１５にＳＴＶ１を入力する。
さらに制御手段２２は、２フレーム目についてこの状態でＣＰＶ信号のみを５０回入れることで１ライン目から５０ライン目までゲートのみを移動させ、２フレーム目における有効画素領域ＴＡの先頭である５１ライン目の手前までゲートをシフトさせる。
これにより、１フレーム目の３０１ライン目から３５０ライン目について下側領域の有効画素領域ＴＡについて信号の読み出し処理を行っている間に、これと並行して２フレーム目の上側領域の非有効画素領域をゲートシフトし、２フレーム目の有効画素領域ＴＡについて信号の読み出し処理を行う準備（ゲート準備）をすることができる。
このため、１フレーム目の下側領域の有効画素領域ＴＡについて信号の読み出し処理が完了すると、すぐに２フレーム目の上側領域の有効画素領域ＴＡの信号の読み出し処理を開始することができ、処理時間の無駄を省くことができる。また、このように１度にゲートが２つ入っている状態を生じても、非有効画素領域にあるゲートにはＯＥ信号を入力せず、ＣＰＶ信号のみを入れてゲートをシフトさせるだけであるため、有効画素領域ＴＡについての信号の読み出し処理にノイズ等の影響を及ぼすことがなく、迅速な信号の読み出し処理と高精度な信号読出しとを両立させることができる。
【００４４】
そして、３５１ライン目から４００ライン目までは、下側領域の非有効画素領域となるため、制御手段２２は、１フレーム目についてＣＰＶ信号のみを３５１ライン目から４００ライン目まで５０回入れることで４００ライン目までゲートをシフトさせる。
また、１フレーム目におけるゲートが３５１ライン目から４００ライン目にあるとき、２フレーム目については、上側領域の有効画素領域ＴＡにあるため、制御手段２２は、１フレーム目についてゲートをシフトさせる処理を行うのと並行して、２フレーム目の５１ライン目から２００ライン目まで、上側領域のみが信号の読出しが可能な状態となるように、ＯＥ１のみを入力する。これにより、２フレーム目の５１ライン目から２００ライン目のＴＦＴ８が順次ＯＮ状態となり、放射線検出素子７から信号線６に電荷が放出されて、５１ライン目から２００ライン目について順次読み出しＩＣ（ＲＯＩＣ）１６による信号の読み出し処理等が行われる。
以下、２フレーム目の下側領域の有効画素領域ＴＡ及び３フレーム目以降についても同様の処理を繰り返し、ｎフレーム目まで順次信号の読み出し処理を行う。
【００４５】
以上のように、本実施形態によれば、ゲートについては先頭の１ライン目から最終のｎライン目まで順次移動させつつ、信号の読み出し処理は有効画素領域ＴＡについてのみ行う。このため、不要な領域について無駄に信号の読み出し処理を行うことがなく、効率よく迅速に信号の読み出し処理を行うことができる。
【００４６】
そして、ゲートについては１ライン目からｎライン目まで順次移動させるため、制御手段２２から配線されるＳＴＶ信号を入力するＳＴＶ信号線としてはＳＴＶ１を入力する信号線を配線することで足りる。また、ＣＰＶ信号を入力するＣＰＶ信号線は全ての走査駆動手段１５に共通配線され、ＯＥ信号を入力するＯＥ信号線も上側領域の有効画素領域ＴＡについて信号を読み出すための、すなわち、上側領域の走査駆動手段１５に共通のＯＥ１の信号線と下側領域の有効画素領域ＴＡについて信号を読み出すための、すなわち、下側領域の走査駆動手段１５に共通のＯＥ２の信号線とを配線すれば足りる。
このため、制御手段２２から走査駆動手段１５に配線される信号線の配線数を大幅に削減することができ、Ｉ／Ｏ数の少ない安価なパッケージで迅速なトリミング処理を実現することができる。また、引き出される配線も少ないため、配線を簡易化できるとともに、基板の層数も抑えることができ、コストダウンを実現することができる。
【００４７】
このように本実施形態の放射線画像撮影装置１によれば、走査駆動手段１５を制御する制御手段２２のＩ／Ｏ数を抑えてコストダウンを図りつつ、適切にトリミング制御を行って信号の読み出し処理にかかる時間を短縮することが可能となる。
【００４８】
さらに、本実施形態では、放射線画像撮影装置１の撮影可能領域を上側領域と下側領域とに分割し、それぞれにＯＥ信号を入力するＯＥ信号線を１本ずつ配線している。
このため、例えば、１つのフレームの下側領域の有効画素領域について信号の読み出し処理を行っているときに、同時並行的に次のフレームの上側領域の非有効画素領域についてゲートをシフトさせることができる。
このように、１つのフレームについて処理が完了する前に、次のフレームについて前倒しでＳＴＶ１を入れることで、１つのフレームの下側領域の有効画素領域ＴＡの終端から、上側領域の有効画素領域ＴＡの先頭へと切れ目なく信号の読み出し処理を行うことができ、より効率のよいトリミング処理を行うことができる。
【００４９】
なお、本実施形態では、放射線画像撮影装置１の撮影可能領域を上下２つの分割領域に分割し、それぞれにＯＥ信号を入力するＯＥ信号線を１本ずつ配線する例を示したが、放射線画像撮影装置１の撮影可能領域は２つに分割する場合に限定されない。
放射線画像撮影装置１の撮影可能領域をさらに多くの分割領域に分割し、それぞれの分割領域ごとにＯＥ信号を入力する信号線を配線してもよい。
この場合には、一層効率の良い信号の読み出し処理を行うことができる。
【００５０】
［第２の実施形態］
次に、図６（ａ）〜図６（ｃ）、図７（ａ）及び図７（ｂ）を参照しつつ、本発明に係る放射線画像撮影装置の第２の実施形態について説明する。なお、本実施形態は、ＯＥ信号線の配線の仕方及びトリミング制御の手法のみが第１の実施形態と異なるものであるため、以下においては、特に第１の実施形態と異なる点について説明する。
【００５１】
図６（ａ）は、本実施形態におけるＳＴＶ信号線の配線例を示す図であり、図６（ｂ）は、本実施形態におけるＯＥ信号線の配線例を示す図であり、図６（ｃ）は、本実施形態におけるＣＰＶ信号線の配線例を示す図である。
図６（ａ）及び図６（ｃ）に示すように、ＳＴＶ信号線とＣＰＶ信号線の配線については。第１の実施形態と同様である。
これに対して、ＯＥ信号線は、第１の実施形態と異なり、図６（ｂ）に示すように、全走査駆動手段（ＧＤＩＣ）１５に共通する信号線が配線されており、ＣＰＶ信号線と同様の配線となっている。
本実施形態では、第１の実施形態とは異なって撮影可能領域を分割せず、ＯＥ信号線の配線についても１本の配線で対応する。このため、配線数をより少なく単純化することができる。
【００５２】
なお、その他の構成は、第１の実施形態と同様であることから、同一部材には同一の符号を付して、その説明を省略する。
【００５３】
次に、図７（ａ）及び図７（ｂ）を参照しつつ、本実施形態に特有の制御及び放射線画像撮影装置の作用について説明する。
図７（ａ）は、本実施形態におけるトリミング制御を模式的に示す説明図であり、図７（ｂ）は、本実施形態におけるＳＴＶ信号、ＯＥ信号、ＣＰＶ信号の入力タイミングを示すタイミングチャートである。
図７（ａ）における矢印は、信号読み出し及びゲートシフトの向きと速さを示している。すなわち、図７（ａ）では、図中左上から右下に向けて順次信号の読み出し処理及びゲートシフトが行われることを示しており、矢印の角度が緩やかな部分はゆっくりとゲートシフトを行っていることを示し、矢印の角度が急である部分は高速にゲートシフトを行っていることを示している。
【００５４】
本実施形態では、まず、放射線画像撮影装置１の制御手段２２は、第１の実施形態と同様に、撮影可能範囲内に設定された有効画素領域（関心領域）ＴＡを検出する。
なお、撮影可能領域及び有効画素領域（関心領域）ＴＡについては、第１の実施形態と同様であると仮定した場合を例として以下説明する。
【００５５】
有効画素領域（関心領域）ＴＡに対応する放射線画像撮影装置１上の位置に患者の撮影対象部位を配置して撮影が行われ、画像データＤの信号の読み出し処理を行う際には、制御手段２２は、まず、１フレーム目の１ライン目（Ｌ１）の走査駆動手段（ＧＤＩＣ）１５にＳＴＶ１を入力する。
さらに制御手段２２は、この状態でＣＰＶ信号のみを５０回入れることで１ライン目から５０ライン目までゲートのみを移動させ、有効画素領域ＴＡの先頭である５１ライン目の手前までゲートをシフトさせる。
なお、１ライン目から５０ライン目までの５０ラインは非有効画素領域であるためＯＥ信号は入力せず、読み出しＩＣ（ＲＯＩＣ）１６による信号の読み出し処理等は行わない。
図７（ａ）に示すように、非有効画素領域である１ライン目から５０ライン目までについては、制御手段２２は、有効画素領域ＴＡに対応する走査線５の走査駆動手段１５に対するよりも高速でＣＰＶ信号を入力する。
これにより、不要な領域について高速でゲートをシフトさせることができる。なお、高速でゲートをシフトさせることは、具体的には、例えば走査駆動手段（ＧＤＩＣ）１５の最大周波数でゲートをシフトさせることにより実現することができる。
【００５６】
次に、５１ライン目までゲートがシフトすると、制御手段２２は、信号の読出しが可能な状態となるように、ＯＥ信号を入力する。これにより、５１ライン目のＴＦＴ８がＯＮ状態となり、放射線検出素子７から信号線６に電荷が放出されて、５１ライン目について読み出しＩＣ（ＲＯＩＣ）１６による信号の読み出し処理等が行われる。
その後制御手段２２は、ＣＰＶ信号を入れることで次の５２ライン目の走査駆動手段（ＧＤＩＣ）１５にパルスを入力してゲートをシフトさせる。
そして、５２ライン目から３５０ライン目についても同様に、制御手段２２は順次ＯＥ信号を入力して各ラインのＴＦＴ８を順次有効（ＯＮ状態）とし、読み出しＩＣ１６（ＲＯＩＣ１６）による信号の読み出し処理を行う。そして信号の読み出し処理が完了するとＣＰＶ信号を入力して次のラインにゲートを移動させる。これを繰り返すことにより有効画素領域ＴＡについて信号の読み出し処理が完了する。
【００５７】
次に、３５１ライン目までゲートがシフトすると、非有効画素領域である３５１ライン目から４００ライン目までの５０ラインについては、制御手段２２は、再び有効画素領域ＴＡに対応する走査線５の走査駆動手段１５に対するよりも高速でＣＰＶ信号を５０回入力する。これにより、不要な領域について高速でゲートをシフトさせることができる。
１フレーム目の処理が完了すると、２フレーム目以降についても同様の処理を繰り返し、ｎフレーム目まで順次信号の読み出し処理を行う。
なお、その他の点については、第１の実施形態と同様であることから、その説明を省略する。
【００５８】
以上のように、本実施形態によれば、第１の実施形態と同様に、ゲートについては先頭の１ライン目から最終のｎライン目まで順次移動させつつ、信号の読み出し処理は有効画素領域ＴＡについてのみ行う。このため、不要な領域について無駄に信号の読み出し処理を行うことがなく、効率よく迅速に信号の読み出し処理を行うことができる。
【００５９】
また、ゲートについては１ライン目からｎライン目まで順次移動させるため、制御手段２２から配線されるＳＴＶ信号を入力するＳＴＶ信号線としてはＳＴＶ１とＳＴＶ２を入力する２本の信号線を配線することで足りる。また、ＯＥ信号を入力するＯＥ信号線及びＣＰＶ信号を入力するＣＰＶ信号線は全ての走査駆動手段１５に共通して１本ずつ配線すれば足りる。
このため、制御装置２２から走査駆動手段１５に配線される信号線の配線数を最小限度まで削減することができ、Ｉ／Ｏ数の少ない安価なパッケージで迅速なトリミング処理を実現することができる。また、引き出される配線も少ないため、配線を簡易化できるとともに、基板の層数も抑えることができ、コストダウンを実現することができる。
【００６０】
さらに、本実施形態では、制御手段２２が、有効画素領域ＴＡに対応する走査線以外に対しては、有効画素領域ＴＡに対応する走査線に対するよりも高速でＣＰＶ信号を入力する。
このため、不要な領域については、高速でゲートをシフトさせることができ、より効率よく迅速な信号の読み出し処理を行うことができる。
【００６１】
なお、以上本発明の実施形態について説明したが、本発明は、かかる実施形態に限定されず、その要旨を逸脱しない範囲で、種々変形が可能であることは言うまでもない。
【００６２】
例えば、第２の実施形態では、１フレームずつ信号の読み出し処理を行う例を示したが、第２の実施形態のように、ＯＥ信号線、ＣＰＶ信号線ともに全ての走査駆動手段１５に共通して配線するとした場合のトリミング制御の手法は実施形態に示したものに限定されない。
例えば図８（ａ）は、第２の実施形態の一変形例におけるトリミング制御を模式的に示す説明図であり、図８（ｂ）は、第２の実施形態の一変形例におけるＳＴＶ信号、ＯＥ信号、ＣＰＶ信号の入力タイミングを示すタイミングチャートである。
【００６３】
図８（ａ）及び図８（ｂ）に示すように、撮影可能領域のうち、有効画素領域ＴＡを含まない領域、例えば、１フレーム目の領域Ｃ１を次のフレームの領域Ａ２と重ねて同時並行的に処理を行うことで、より無駄なく効率的なトリミング処理を行うことができる。
具体的には、制御手段２２は、第１の実施形態と同様に、まず、１フレーム目の１ライン目の走査駆動手段（ＧＤＩＣ）１５にＳＴＶ１を入力する。
さらに制御手段２２は、１フレーム目についてこの状態でＣＰＶ信号のみを５０回入れることで１ライン目から５０ライン目までゲートのみを移動させ、有効画素領域ＴＡの先頭である５１ライン目の手前までゲートをシフトさせる。
このとき、制御手段２２は、非有効画素領域である１ライン目から５０ライン目までについては、有効画素領域ＴＡに対応する走査線５の走査駆動手段１５に対するよりも高速でＣＰＶ信号を入力する。これにより、不要な領域について高速でゲートをシフトさせることができる。
【００６４】
次に、５１ライン目までゲートがシフトすると、制御手段２２は、信号の読出しが可能な状態となるように、ＯＥ信号を入力する。これにより、５１ライン目のＴＦＴ８がＯＮ状態となり、放射線検出素子７から信号線６に電荷が放出されて、５１ライン目について読み出しＩＣ（ＲＯＩＣ）１６による信号の読み出し処理等が行われる。
その後制御手段２２は、ＣＰＶ信号を入れることで次の５２ライン目の走査駆動手段（ＧＤＩＣ）１５にパルスを入力してゲートをシフトさせる。
そして、５２ライン目から３５０ライン目についても同様に、制御手段２２は順次ＯＥ信号を入力して各ラインのＴＦＴ８を順次有効（ＯＮ状態）とし、読み出しＩＣ１６（ＲＯＩＣ１６）による信号の読み出し処理を行う。そして信号の読み出し処理が完了するとＣＰＶ信号を入力して次のラインにゲートを移動させる。これを繰り返すことにより有効画素領域ＴＡについて信号の読み出し処理が完了する。
【００６５】
次に、１フレーム目について３５１ライン目の手前までゲートがシフトすると、制御手段２２は、２フレーム目の１ライン目の走査駆動手段（ＧＤＩＣ）１５にＳＴＶ１を入力する。
さらに制御手段２２は、ＣＰＶ信号のみを５０回入れる。これにより、１フレーム目については３５１ライン目から４００ライン目まで、２フレーム目については１ライン目から５０ライン目まで同時並行的にゲートのみを移動させ、１フレーム目についての処理を終了するとともに、２フレーム目について有効画素領域ＴＡの先頭である５１ライン目の手前までゲートをシフトさせる。
なお、非有効画素領域である１フレーム目の３５１ライン目から４００ライン目までの５０ラインと２フレーム目の１ライン目から５０ライン目までの５０ラインについては、第２の実施形態で述べたのと同様に、制御手段２２は、有効画素領域ＴＡに対応する走査線５の走査駆動手段１５に対するよりも高速でＣＰＶ信号を入力する。これにより、不要な領域について高速でゲートをシフトさせることができる。
２フレーム目以降についても同様の処理を繰り返し、ｎフレーム目まで順次信号の読み出し処理を行う。
【００６６】
このように、１フレーム目の後半の非有効画素領域と次のフレームの前半の非有効画素領域とについて同時並行的にゲートシフトの処理を行った場合には、第２の実施形態のように、１フレームずつ処理を行う場合より、重ねて処理を行っている分だけ処理時間の短縮を図ることができ、より効率よく迅速な処理を行うことが可能となる。
【００６７】
また、上記各実施形態では、各フレームについて撮影可能領域の左上から右下に向かって処理を行う場合を例示したが、処理の進め方はここに例示した方向に限定されない。
例えば、第１の実施形態のように、撮影可能領域を上側領域と下側領域とに分割する場合には、制御手段２２から、先頭の走査線５に対応する走査駆動手段１５と最終の走査線５に対応する走査駆動手段１５との２つにそれぞれＳＴＶ信号を入力するＳＴＶ信号線を配線してもよい。
この場合には、信号の読み出し処理及びゲートシフトを行う際に、撮影可能領域の上下方向の中央部に、向かって左上と左下の両方から同時並行的に処理を行うようにしてもよい。
この場合もＣＰＶ信号を入力するＣＰＶ信号線を、制御手段２２から、上側領域に属する走査駆動手段１５、下側領域に属する走査駆動手段１５にそれぞれ共通に配線しておく。
これにより、上側領域、下側領域いずれにおいても非有効画素領域においてはゲートシフトのみを行い、有効画素領域ＴＡについてはＯＥ信号を入力して信号の読み出し処理を行うように制御することができる。
【００６８】
また、第２の実施形態で示したＣＰＶ信号を高速で入力し、非有効画素領域に対応するラインのゲートを高速でシフトさせる手法を、第１の実施形態で示した手法に合せて適用してもよい。
この場合、非有効画素領域について更なる処理の高速化を図ることができる。
【００６９】
また、トリミング制御を行う場合に撮影に用いる領域（すなわち、有効画素領域ＴＡ）が予め設定されている場合には、当該領域に対応する走査駆動手段１５については全てＳＴＶ信号線等を配線し、他の領域についてのみ制御手段２２からの信号線の配線本数を減らす構成を採用してもよい。
例えば、トリミング制御を行う際には撮影可能範囲の中央部分のみを有効画素領域ＴＡとして撮影を行うと設定されている場合、当該有効画素領域ＴＡに対応する走査駆動手段１５については全てＳＴＶ信号線等を配線し、当該領域の上側及び下側の領域に対応する走査駆動手段１５のいずれかにＳＴＶ１用の信号線を１本配線する、又は上側の領域に対応する走査駆動手段１５及び下側の領域に対応する走査駆動手段１５のいずれかにＳＴＶ１用の信号線を１本ずつ配線する等の構成としてもよい。
この場合、有効画素領域ＴＡに対応する走査駆動手段１５についてはどこからでもＳＴＶ信号を入れることができ、自由度の高いトリミング制御を行うことができるとともに、全体としての制御手段２２からの配線数を抑えることができる。
【００７０】
また、ＣＰＶ信号を入力するＣＰＶ信号線についても共通配線とせず、２本以上配線してもよい。
ＣＰＶ信号線が共通配線されている場合には、全ての走査駆動手段（ＧＤＩＣ）１５に同一のＣＰＶ信号が入力されるため、第１の実施形態のように、非有効画素領域と有効画素領域ＴＡ（の一部）に対し同時並行的に処理を行う場合、非有効画素領域に対応する走査駆動手段（ＧＤＩＣ）１５に入力されるＣＰＶ信号のみを高速化することはできないが、ＣＰＶ信号線についても分割し、複数本設けるようにした場合には、上記のような場合にも、非有効画素領域でのみ高速シフトを行うことが可能となる。
【符号の説明】
【００７１】
１    放射線画像撮影装置
５    走査線
７    放射線検出素子
１５  走査駆動手段
２２  制御手段
２３  記憶手段
Ｄ    画像データ
ＴＡ  有効画素領域
【図１】
2018026809.tif 000003
【図２】
2018026809.tif 000004
【図３】
2018026809.tif 000005
【図４】
2018026809.tif 000006
【図５】
2018026809.tif 000007
【図６】
2018026809.tif 000008
【図７】
2018026809.tif 000009
【図８】
2018026809.tif 000010